(57)【要約】【課題】球通路を流下する遊技球の高い視認性を確保したもとで、高い光装飾効果が得られると共に遊技部品の奥行き寸法を短かくする。【解決手段】枠状本体１５に配設した第１装飾体２２に、パチンコ球が流下する球通路３０が形成される。球通路３０を画成する前壁３２は透明に構成されて、球通路３０を流下するパチンコ球が機前面側から視認し得る。枠状本体１５の裏側に、メッキ処理したリフレクタ２７が配設される。球通路３０と前後に対応するリフレクタ２７の位置に通孔４０ａが形成される。リフレクタ２７の裏側に、基板４２にＬＥＤ４１を実装した照明装置２８が配設される。ＬＥＤ４１はリフレクタ２７の通孔４０ａに臨み、ＬＥＤ４１からの光は球通路３０の裏面に向けて照射される。基板４２およびＬＥＤ４１の前面は、透明絶縁体シート２９で被覆され、リフレクタ２７とＬＥＤ４１との絶縁が図られている。【選択図】図１
2008109956.tif 000002
【特許請求の範囲】
【請求項１】
遊技盤の遊技領域に配設された遊技部品に、球入口から通入した遊技球が流下する球通路が形成された遊技機であって、
前記球通路を画成する前壁をなし、該球通路を流下する遊技球を機前面側から視認可能な光透過部と、
前記球通路を画成する後壁をなす光透過性の光拡散部と、
前記球通路の後方に配置され、前記光拡散部へ向けて光を照射するＬＥＤを実装した基板と、
前記球通路と基板との間に配設され、前記ＬＥＤと前後に対応する位置に穿設した通孔にＬＥＤを臨ませて光の通過を許容すると共に、前記光拡散部で反射した光を該光拡散部に向けて反射するメッキ処理されたリフレクタと、
前記基板におけるＬＥＤの実装部位を被覆する透明絶縁体シートとを備える
ことを特徴とする遊技機。
【請求項２】
前記遊技部品は、前記遊技盤の裏側に配設される識別情報を変動表示する表示装置の表示面を機前面側に臨ませる窓口が開設されたセンター役物であって、
前記センター役物における窓口の上側に、前記球入口が形成されると共に該球入口を開閉する扉体を備えた入賞装置が、該センター役物に開設した通孔を介して取付けられ、
前記球通路は、球入口に一端が連通して左右方向に延在する第１通路と、該第１通路の他端に連通されて前記窓口の一側方を上下方向に延在する第２通路とを備える請求項１記載の遊技機。
【発明の詳細な説明】
【技術分野】
【０００１】
この発明は、遊技盤の遊技領域に、遊技球が流下する球通路が形成された遊技部品が配設される遊技機に関するものである。
【背景技術】
【０００２】
代表的な遊技機であるパチンコ機において、機内にセットされる遊技盤の盤面に画成した遊技領域に、該遊技領域を流下する遊技球を受入れる球入口および該球入口から受入れた遊技球を流下案内する球通路を形成したセンター役物等の遊技部品が配設されている。センター役物の装飾効果を高めるため、前記球通路を流下する遊技球の流下状態を、機前面側(遊技者)から視認し得るようにしたものとして、特許文献１に開示のセンター役物が存在する。このセンター役物は、球通路の前側壁部が意匠レンズ体で構成されると共に、該球通路の後側壁部が拡散レンズ体で構成されている。また球通路の後方に、拡散レンズ体に向けて光を照射するＬＥＤが配設され、拡散レンズ体および意匠レンズ体を介して球通路の前面側にＬＥＤからの光を透過させることで、光装飾効果を高めるようになっている。
【特許文献１】特開２００３−１５９３８３号公報
【発明の開示】
【発明が解決しようとする課題】
【０００３】
特許文献１に開示のセンター役物では、ＬＥＤから照射された光を拡散して光装飾効果を高めるための光拡散処理を施した拡散レンズ体は、ＬＥＤに近接している。このように、ＬＥＤと拡散レンズ体の光拡散処理面とが近接する場合は、ＬＥＤからの光を拡散レンズ体で充分に拡散させることができず、ＬＥＤの光が意匠レンズ体の一点に集中して、所謂点光になってしまい、高い光装飾効果が得られないばかりか、見栄えが劣る難点が指摘される。
【０００４】
なお、光源と光拡散処理面とを充分に離間させることで、点光とならないように光を拡散させることができる。そこで、球通路の後側壁部を、光拡散処理を施していない透明部材で構成し、該球通路の前側壁部を構成する意匠レンズ体に光拡散処理を施すことで、ＬＥＤと光拡散処理面とを離して光装飾効果を高めることは可能となる。しかるに、意匠レンズ体に光拡散処理を施すと、球通路を流下する遊技球の流下状態が見づらくなるため、採用することができないのが実状である。また、球通路からＬＥＤを離間して配置することで、球通路の拡散レンズ体とＬＥＤとの間に、光を充分に拡散し得る距離を確保することも考えられる。しかしこの場合は、センター役物の奥行き寸法(前後長さ)が長くなってしまい、該センター役物が遊技盤から後側に突出して、遊技盤の後側に配設される他の部品等と干渉する問題を招く畏れがある。
【０００５】
すなわち本発明は、従来の技術に係る遊技機に内在する前記課題に鑑み、これを好適に解決するべく提案されたものであって、球通路を流下する遊技球の流下状態の高い視認性を確保したもとで、高い光装飾効果が得られると共に遊技部品の奥行き寸法を短かくし得る遊技機を提供することを目的とする。
【課題を解決するための手段】
【０００６】
前記課題を克服し、所期の目的を達成するため、本願の請求項１に係る発明の遊技機は、
遊技盤(10)の遊技領域(12)に配設された遊技部品(14)に、球入口(33a)から通入した遊技球が流下する球通路(30)が形成された遊技機であって、
前記球通路(30)を画成する前壁をなし、該球通路(30)を流下する遊技球を機前面側から視認可能な光透過部(32)と、
前記球通路(30)を画成する後壁をなす光透過性の光拡散部(31)と、
前記球通路(30)の後方に配置され、前記光拡散部(31)へ向けて光を照射するＬＥＤ(41)を実装した基板(42)と、
前記球通路(30)と基板(42)との間に配設され、前記ＬＥＤ(41)と前後に対応する位置に穿設した通孔(40a)にＬＥＤ(41)を臨ませて光の通過を許容すると共に、前記光拡散部(31)で反射した光を該光拡散部(31)に向けて反射するメッキ処理されたリフレクタ(27)と、
前記基板(42)におけるＬＥＤ(41)の実装部位を被覆する透明絶縁体シート(29)とを備えることを特徴とする。
請求項１の発明によれば、球通路の光拡散部とＬＥＤとの距離を近くしても、メッキ処理したリフレクタにより光を効果的に拡散させることができ、高い光装飾効果が得られる。すなわち、球通路を流下する遊技球の流下状態の高い視認性を確保し得ると共に、遊技部品の奥行き寸法を短かくすることができる。また、基板におけるＬＥＤの実装部位を透明絶縁体シートで被覆したから、該実装部位にリフレクタが直に接触してショートすることはなく、基板に対してリフレクタを近接配置して遊技部品の奥行き寸法を更に短かくし得る。更に、リフレクタの通孔にＬＥＤを臨ませることで、該ＬＥＤから照射される光を直にリフレクタで光拡散部へ向けて広範囲に反射させて、光を効果的に拡散することができる。
【０００７】
請求項２に係る発明では、前記遊技部品は、前記遊技盤(10)の裏側に配設される識別情報を変動表示する表示装置(13)の表示面を機前面側に臨ませる窓口(14a)が開設されたセンター役物(14)であって、
前記センター役物(14)における窓口(14a)の上側に、前記球入口(33a)が形成されると共に該球入口(33a)を開閉する扉体(34)を備えた入賞装置(26)が、該センター役物(14)に開設した通孔(15a)を介して取付けられ、
前記球通路(30)は、球入口(33a)に一端が連通して左右方向に延在する第１通路(30a)と、該第１通路(30a)の他端に連通されて前記窓口(14a)の一側方を上下方向に延在する第２通路(30b)とを備えることを要旨とする。
請求項２の発明によれば、表示装置で識別情報を変動表示することによる演出と、該表示装置における表示面の上側および一側方を球通路に沿って流下する遊技球に後方から光が照射することによる演出とにより、遊技機の演出効果を高めることができ、遊技の興趣を向上し得る。
【発明の効果】
【０００８】
本発明に係る遊技機によれば、球通路を流下する遊技球の流下状態の高い視認性を確保し得ると共に、遊技部品の奥行き寸法を短かくすることができる。
【発明を実施するための最良の形態】
【０００９】
次に、本発明に係る遊技機につき、好適な実施例を挙げて、添付図面を参照しながら、以下詳細に説明する。なお実施例では、遊技球としてパチンコ球を用いるパチンコ機を、遊技機の一例として説明する。また、以下の説明において前・後とは、特に断りのない限り、図２に示すようにパチンコ機の遊技盤１０を正面側から見た場合において指称するものとする。
【実施例】
【００１０】
図２に示す如く、実施例に係るパチンコ機の遊技盤１０は、その前面側に、略円形状に湾曲形成したレール１１により遊技領域１２が画成されて、該遊技領域１２の上方位置に、遊技盤１０の裏側に配設される図柄表示装置(表示装置)１３が臨む大型のセンター役物(遊技部品)１４が配設されている。このセンター役物１４は、前記遊技領域１２の左右幅方向の大部分を占める枠状本体１５を、遊技盤１０に開設した開口部に前側から挿入したもとでネジ止めされる。そして、センター役物１４の略中央位置に開設した窓口１４ａを介して、前記図柄表示装置１３の表示面が遊技盤１０の前側に臨むようになっている。また、前記遊技領域１２におけるセンター役物１４の下方位置には、遊技領域１２を流下するパチンコ球が入賞可能な始動入賞具１６が配設され、該始動入賞具１６にパチンコ球が入賞することで、図柄表示装置１３は図柄等の識別情報を変動表示する図柄変動ゲームを開示するよう構成される。そして、図柄変動ゲームの結果、図柄表示装置１３に特定の図柄組合わせが表示されることで、遊技者に有利な特別遊技(所謂大当り)が発生するよう構成されている。なお、センター役物１４の内周下縁には、パチンコ球が転動可能なステージ１７が設けられ、該ステージ１７の幅方中央から遊技領域１２に落下したパチンコ球が、前記始動入賞具１６へ入賞し易くなっている。
【００１１】
前記遊技領域１２における始動入賞具１６の下側に、図柄表示装置１３での図柄変動ゲームの結果により開放する大型電動式の下部入賞装置１８が配設されている。下部入賞装置１８は、扉状の開閉板１９が、後側の電磁ソレノイド(図示せず)に係る設定駆動条件に基づいて、通常の閉鎖状態から開放状態に変化し得るように構成されて、前記図柄変動ゲームの結果、前記特別遊技が発生すると開閉板１９が開放して多数の賞球を得る機会が付与されるようになっている。なお、下部入賞装置１８の内部には、入賞したパチンコ球をカウント検出する球検出スイッチ(図示せず)が配設されている。また、前記遊技領域１２の下部左側部には、図柄表示装置１３での図柄変動ゲームに応じて照射パターンを変更して発光演出を行なう電飾装置２０が配設されている。なお、電飾装置２０は、パチンコ球が入賞可能な複数の一般入賞口２１を備える。
【００１２】
前記センター役物１４は、図１に示す如く、前記枠状本体１５と、前記図柄変動ゲームに関連する意匠が施された複数(実施例では第１〜４の４個)の装飾体２２,２３,２４,２５と、上部入賞装置(入賞装置)２６、リフレクタ２７、照明装置２８および透明絶縁体シート２９とから基本的に構成され、該センター役物１４は各部品が組付けられた状態でユニットとして取扱われる。
【００１３】
第１装飾体２２は、図１および図３に示す如く、枠状本体１５における上部の略中央から右側に向けて延在する上部装飾部２２ａと、該上部装飾部２２ａに連設されて枠状本体１５の右側部を上下方向に延在する側部装飾部２２ｂとを備える。第１装飾体２２には、上部装飾部２２ａにおいて右方向に向かうにつれて下方傾斜するよう画成された第１通路３０ａと、側部装飾部２２ｂにおいて上下方向に延在するよう画成されて第１通路３０ａの右端(他端)に上端で連通接続する第２通路３０ｂとから構成された球通路３０が設けられる。すなわち、球通路３０は、センター役物１４の窓口１４ａに臨む図柄表示装置１３の表示面における上側および右側(一側方)に略沿って延在し、該球通路３０をパチンコ球が流下するようになっている。実施例の球通路３０は、後側に開口するよう上部装飾部２２ａおよび側部装飾部２２ｂに亘って形成された溝の後開口を、該装飾部２２ａ,２２ｂに着脱自在に配設した後壁(光拡散部)３１で閉塞することで画成され、パチンコ球は第２通路３０ｂの下端に形成した球出口３０ｃから機後面側に排出される。なお、第２通路３０ｂは、図３に示すように左右に折曲して、第２通路３０ｂを流下するパチンコ球の勢いを弱めて、流下に要する時間を長くするようにしてある。
【００１４】
前記第１装飾体２２は、光が透過可能な材料で形成されると共に、前記球通路３０を画成する少なくとも前壁(光透過部)３２が透明に構成されて、球通路３０を流下するパチンコ球の流下状態を機前面側(遊技者側)から明瞭に視認し得るようになっている。なお、第１装飾体２２における球通路３０を除く後面には、ダイヤモンドカットや梨子地加工等の光拡散処理が施されて、後方から照射される光を広範囲に拡散して光装飾効果を高めるようにしてある。また、前記後壁３１も光が透過可能な材料で形成されると共にダイヤモンドカットや梨子地加工等の光拡散処理が施されており、後方から照射される光を広範囲に拡散しつつ透過を許容して、球通路３０を流下するパチンコ球を後側から照らすよう構成される。
【００１５】
前記第１装飾体２２における上部装飾部２２ａの前面に、光が透過可能な材料で形成された第２装飾体２３が配設されている。第２装飾体２３は、基本的には透明に構成されて、一部に形成された意匠と対応する箇所に前述したと同様の光拡散処理が施されて、後方から照射される光を拡散し得るようになっている。なお、第２装飾体２３は、図３に示す如く、第１装飾体２２の球通路３０における第１通路３０ａの前面の一部を覆うように配置されるが、該第１通路３０ａを覆う部分は透明部とされて、該第１通路３０ａを流下するパチンコ球の流下状態を隠蔽しないようにしてある。
【００１６】
前記第１装飾体２２における側部装飾部２２ｂの前面に、前記球通路３０における第２通路３０ｂの略全体を覆うように第３装飾体２４が配設されている。第３装飾体２４は、図３および図４に示す如く、透かし彫りにより所要の意匠が形成されており、第２通路３０ｂを流下するパチンコ球の流下状態を前側から視認可能に構成されている。第３装飾体２４は、より詳細には透かし彫りにより、前後に貫通する視認部と非視認部とが所要のパターンで配置され、第２通路３０ｂを流下するパチンコ球が機前面側から見え隠れするようにして、遊技の興趣を高めるようになっている。なお、第３装飾体２４の全体を透明な材料で形成し、その一部に非透明な部材を配設したり、非透明なシール等を貼着することで、第２通路３０ｂを流下するパチンコ球が見え隠れするようにしてもよい。
【００１７】
第４装飾体２５は、図３に示す如く、前記枠状本体１５の左側部において上下方向に延在するように配設されている。第４装飾体２５には、遊技領域１２を流下するパチンコ球が通入可能な通入口２５ａが形成されると共に、該通入口２５ａから通入したパチンコ球を、センター役物１４に設けた前記ステージ１７上に向けて流下案内するワープ通路２５ｂが形成され、パチンコ球はワープ通路２５ｂの下端部に形成された通出口２５ｃ(図１参照)からステージ１７上に通出されるようになっている。第４装飾体２５は、光が透過可能な材料で形成されると共に、前記ワープ通路２５ｂを画成する前壁は透明に構成されて、機前面側からワープ通路２５ｂを流下するパチンコ球の流下状態を明瞭に視認し得るよう構成してある。またワープ通路２５ｂを画成する第４装飾体２５の後壁には前述したと同様の光拡散処理が施されて、後方から照射される光を拡散しつつ透過を許容して、ワープ通路２５ｂを流下するパチンコ球を照らすよう構成される。なお、第４装飾体２５におけるワープ通路２５ｂを画成する前壁以外で、所要の意匠が形成されている部位には光拡散処理が施されている。
【００１８】
前記枠状本体１５の上部左側には、図１に示す如く、前後に貫通する通孔１５ａが形成されており、前記上部入賞装置２６が、該通孔１５ａに対応する位置において枠状本体１５に後側から取付けられている。上部入賞装置２６は、図５に示す如く、筐状の装置本体３３における前側に、遊技領域１２を流下するパチンコ球が通入可能な球入口３３ａが形成されると共に、該装置本体３３の内部には、球入口３３ａに連通する球経路３３ｂが形成されている。また装置本体３３には、前記球入口３３ａを開閉する扉体３４が回動自在に配設され、該扉体３４は図示しない電磁ソレノイド等の駆動手段により開閉作動されるようになっている。なお、球経路３３ｂは、前記第１装飾体２２の球通路３０における第１通路３０ａの左端(一端)に、該第１装飾体２２と前記リフレクタ２７とにより画成される連通路４４を介して連通しており、球入口３３ａから上部入賞装置２６に通入したパチンコ球は、球経路３３ｂおよび連通路４４を介して球通路３０に通出されるよう構成される。
【００１９】
前記上部入賞装置２６の球経路３３ｂは、図５に示す如く、球入口３３ａから後側に向かうにつれて下方傾斜するよう形成され、球入口３３ａから通入したパチンコ球を後側に速やかに流下させるようになっている。また球経路３３ｂの途中には、パチンコ球を通過検出する球検出スイッチ３５が縦向き姿勢で配置されて、上部入賞装置２６の奥行き寸法(前後寸法)を短かくするよう構成してある。更に、実施例の球検出スイッチ３５は、パチンコ球が通過する通孔３５ａが球経路３３ｂにおける底面の傾斜に倣うように傾斜配置されると共に、該通路３５ａを画成する壁面が球経路３３ｂにおける底面の一部を段差なく構成することで、球検出スイッチ３５をパチンコ球がスムーズに通過し得るようになっている。上部入賞装置２６は、前記下部入賞装置１８と同様に、前記図柄表示装置１３での図柄変動ゲームの結果、特別遊技が発生すると扉体３４が開放して多数の賞球を得る機会が付与されるようになっている。
【００２０】
ここで、前記特別遊技は、所定回数のラウンド遊技から構成されており、該ラウンド中に、各入賞装置１８,２６の対応する球検出スイッチ３５が入賞したパチンコ球を所定数カウント検出するか、または前記開閉板１９や扉体３４を開放してから所定の設定時間(例えば３０秒)が経過することを条件として、対応する入賞装置１８,２６のラウンド遊技が順次移行するようになっている。
【００２１】
実施例では、前記図柄表示装置１３に表示される図柄の種類として２種類あり、第１の種類の図柄(以下、特定図柄という)で大当りとなった場合は、上部入賞装置２６の扉体３４が開放し、第２の種類の図柄で大当りとなった場合は、下部入賞装置１８の開閉板１９が開放するよう設定されている。そして、前記特別遊技におけるラウンド数は、下部入賞装置１８より上部入賞装置２６の方が多い数に設定されると共に、前記球検出スイッチ３５によるパチンコ球のカウント数も、下部入賞装置１８より上部入賞装置２６の方が多い数に設定されている。すなわち、特定図柄で大当りとなった場合においては、下部入賞装置１８より上部入賞装置２６の方が、多くの賞球が獲得可能になっている。一例として、特定図柄で大当りとなった場合における上部入賞装置２６のラウンド数は１６ラウンドで、カウント数は１０個に設定されるのに対し、第２の種類の図柄で大当りとなった場合における下部入賞装置１８のラウンド数は１４ラウンドで、カウント数は９個に設定されるが、これらの数値は任意に設定可能である。
【００２２】
前記枠状本体１５の裏側には、全面がメッキ処理されたリフレクタ２７が配設されている。このリフレクタ２７は、図６に示す如く、上枠部３６、下枠部３７、左枠部３８および右枠部３９からなる略矩形枠状に形成され、これら枠部３６,３７,３８,３９で画成された開口が、センター役物１４の窓口１４ａを構成している。そして、枠状本体１５に配設された前記第１装飾体２２における上部装飾部２２ａおよび側部装飾部２２ｂの後側に、リフレクタ２７の上枠部３６および右枠部３９が対応して位置すると共に、枠状本体１５に配設される前記第４装飾体２５の後側に、リフレクタ２７の左枠部３８が位置するようにしてある。また、上枠部３６、左枠部３８および右枠部３９の前面は、前側に向けて拡開するよう断面が略台形をなす凹部４０が複数形成された反射面とされ、これら反射面の前側に対応して位置する各装飾体２２,２５の光拡散処理が施された光拡散面で反射した光を、該リフレクタ２７の各反射面で再び各装飾体２２,２５の光拡散面に向けて反射し得るよう構成されている。なお、各凹部４０を画成する上下左右の側壁面を前側に向けて傾斜させることで、当該側壁面で反射した光は、各装飾体２２,２５の光拡散面に向けて広範囲に照射されるようになっている。
【００２３】
前記リフレクタ２７において、少なくとも第１装飾体２２の球通路３０および第４装飾体２５のワープ通路２５ｂと前後に対応する位置に臨む各凹部４０を画成する後壁には、前後方向に貫通する通孔４０ａが夫々形成されている。なお、実施例では、各通路３０,２５ｂと前後に対応しないその他の適宜位置の凹部４０を画成する後壁にも、同様な通孔４０ａが形成されている(図６参照)。
【００２４】
前記リフレクタ２７における下枠部３７の下端縁には、前方に張出すステージ部３７ａが設けられ、該ステージ部３７ａと、前記枠状本体１５の下枠部材１５ｂとでステージ１７が構成され、前記第４装飾体２５のワープ通路２５ｂから通出するパチンコ球が、該ステージ１７上に通出されるようになっている。またリフレクタ２７の上枠部３６には、前記上部入賞装置２６の後側に臨む部位に、第１装飾体２２との間に前記連通路４４を画成する壁部３６ａが形成されている。
【００２５】
前記リフレクタ２７の裏側には、第１装飾体２２における上部装飾部２２ａと側部装飾部２２ｂおよび第４装飾体２５に向けて光を照射する照明装置２８が夫々配設されている。各照明装置２８は、前記図柄表示装置１３における遊技演出等に応じて所要の照射パターンで照明するよう設定されている。なお、各照明装置２８は、基本的に同一構成なので、第１装飾体２２における側部装飾部２２ｂの裏側に配置される照明装置２８の構成について以下説明する。
【００２６】
前記照明装置２８は、図１,図４または図７に示すように基本的には、遊技状態に応じて点灯または消灯がなされる複数のＬＥＤ(発光ダイオード)４１と、該ＬＥＤ４１が前面に実装される基板４２とから構成されている。基板４２は、裏面側を被覆するカバー部材４３に取付けられており、該カバー部材４３をリフレクタ２７の裏面にネジ止め固定することで、該基板４２がリフレクタ２７に対して位置決めされる。各ＬＥＤ４１は、基板４２に対して前記リフレクタ２７に形成された通孔４０ａと前後に対応する位置に実装されており、基板４２がカバー部材４３を介してリフレクタ２７に位置決めされた際には、各ＬＥＤ４１がリフレクタ２７の対応する通孔４０ａに夫々臨んで、該ＬＥＤ４１からの光が対応する側部装飾部２２ｂに直接照射可能になっている。なお、実施例では、上部装飾部２２ａおよび側部装飾部２２ｂに対応する基板４２,４２が、共通のカバー部材４３にに取付けられ、第４装飾体２５に対応する基板４２は、単独のカバー部材４３に取付けられている。
【００２７】
実施例では、前記ＬＥＤ４１として、砲弾型(ランプ型)に比較して小型で装置自体のコンパクト化および薄型化を図り得るチップ型ＬＥＤが採用されている。チップ型ＬＥＤは、基板の実装面に端子が露出する構成である。このため、チップ型ＬＥＤを採用した実施例において、メッキ処理したリフレクタ２７の通孔４０ａ内にＬＥＤ４１を臨ませるべくリフレクタ２７と基板４２の実装面(前面)とを近接させると、リフレクタ２７にＬＥＤ４１の端子(実装部位)４１ａが接触してショートを発生させるおそれがある。そこで実施例の照明装置２８では、基板４２の実装面である前面の略全体を透明絶縁体シート２９で被覆し、ＬＥＤ４１の端子がリフレクタ２７に直接接触しないようにしてある。
【００２８】
前記透明絶縁体シート２９は、図１に示す如く、基板４２における前面の略全体を覆い得る外形寸法に設定されると共に、基板４２の前面からのＬＥＤ４１の突出寸法より薄い厚みに設定されている。また透明絶縁体シート２９における各ＬＥＤ４１と対応する部位には、該ＬＥＤ４１を収容可能な後側に開口する収容部２９ａが形成されている。すなわち、透明絶縁体シート２９で基板４２の前面を被覆した際には、各ＬＥＤ４１が対応する収容部２９ａに収容されることで、透明絶縁体シート２９の全体が、ＬＥＤ４１の高さ(基板前面からの突出寸法)分で突出することはないようになっている(図７(ａ)参照)。そして、収容部２９ａに収容されたＬＥＤ４１が、前記リフレクタ２７の通孔４０ａ内に臨むよう構成される。また収容部２９ａは、図７(ｂ)に示す如く、リフレクタ２７の通孔４０ａに嵌り込むような寸法のドーム状に形成されると共に、該収容部２９ａの開口寸法はＬＥＤ４１より大きく設定されて、該ＬＥＤ４１の端子４１ａに透明絶縁体シート２９が直には接触しないようになっている。
【００２９】
なお、図７に示す如く、リフレクタ２７の対応する通孔４０ａの内部に、各ＬＥＤ４１の前部側が収容された状態で、該ＬＥＤ４１からの光が、通孔４０ａの内面やリフレクタ２７の反射面(凹部４０の側壁面)に直接照射されて、該光が側部装飾部２２ｂに向けて広範囲に反射されるようになっている。
【００３０】
〔実施例の作用〕
次に、実施例に係るパチンコ機の作用につき説明する。前記遊技盤１０の遊技領域１２に打出されて流下するパチンコ球が、前記第４装飾体２５の通入口２５ａに通入すると、該パチンコ球はワープ通路２５ｂを流下した後に、前記センター役物１４のステージ１７上に通出口２５ｃを介して通出される。このステージ１７を転動したパチンコ球が、幅方向の中央から遊技領域１２に落下し、前記始動入賞具１６に入賞することで、前記図柄表示装置１３での図柄変動ゲームが開始される。ワープ通路２５ｂを画成する第４装飾体２５の前壁は透明であるから、該ワープ通路２５ｂを流下するパチンコ球の流下状態は、機前面側、すなわち遊技者から視認可能であって、興趣を向上することができる。
【００３１】
前記図柄表示装置１３において所要の図柄変動ゲームが展開されて、遊技者に有利な「大当り」が、特定図柄により成立すると、図５に示す如く、前記センター役物１４に配設した上部入賞装置２６の扉体３４が開放する。これにより、前記遊技領域１２を流下するパチンコ球の、上部入賞装置２６への通入が球入口３３ａを介して許容される。球入口３３ａから通入したパチンコ球は、前記球経路３３ｂおよび連通路４４を介して前記第１装飾体２２における球通路３０の第１通路３０ａに通入する。なお、上部入賞装置２６における球経路３３ｂは、図５に示す如く、前側から後側に向けて下方傾斜すると共に、球経路３３ｂにおける底面の一部を構成する前記球検出スイッチ３５の通孔３５ａが、該球経路３３ｂの傾斜に倣って傾斜しているから、球入口３３ａを介して受入れたパチンコ球を速やかに後側に通出して、球入口付近にパチンコ球が溜まるのを防止し得る。すなわち、パチンコ球の打出し位置に近接位置する上部入賞装置２６には、扉体３４の開放時には一気に多くのパチンコ球が入賞するが、受入れたパチンコ球を速やかに流通するよう構成してあるから、パチンコ球の詰まりが発生するのを防止することができる。また、パチンコ球を検出する前記球検出スイッチ３５自体を縦向き姿勢で配置してあるから、該球検出スイッチ３５を水平に配置する場合に比べて上部入賞装置２６の奥行き寸法を短かくすることができ、装置のコンパクト化を図り得る。
【００３２】
前記第１装飾体２２の第１通路３０ａに通入したパチンコ球は、該第１通路３０ａを右側に流下した後、第２通路３０ｂに通入する。第１通路３０ａの前壁３２は透明であるから、該第１通路３０ａを流下するパチンコ球の流下状態は、機前面側、すなわち遊技者から視認可能であって、興趣を向上することができる。また、第２通路３０ｂに通入したパチンコ球は、該第２通路３０ｂに沿って左右に変位しながら流下して、前記球出口３０ｃから機後面側に排出される。第２通路３０ｂの前壁３２は透明であるから、該第２通路３０ｂを流下するパチンコ球の流下状態も、遊技者から視認可能であって、興趣を向上することができる。なお、第１装飾体２２における第２通路３０ｂの前側に配設された第３装飾体２４には、図４に示すように視認部と非視認部とが形成されているから、第２通路３０ｂを流下するパチンコ球は、第３装飾体２４における視認部および非視認部と対応する位置を通過する過程で、遊技者から見えたり見えなくなったりし、遊技の興趣をより向上することができる。
【００３３】
また、第１装飾体２２に形成した球通路３０は、前記図柄表示装置１３の表示面における上側および右側に略沿って延在しているから、当該図柄表示装置１３での図柄変動による演出と、パチンコ球が球通路３０に沿って下流する流下状態が機前面側から視認し得ることによる演出とによって、遊技の興趣が高められる。しかも、実施例では特定図柄により大当りが発生して上部入賞装置２６の扉体３４が開放したときにのみ、球通路３０にパチンコ球が流下可能となるから、大当り時の効果的な演出が期待できる。
【００３４】
前記特別遊技に際し、前記各照明装置２８による所定の照明演出が行なわれる。すなわち、照明装置２８のＬＥＤ４１が点灯することで、該ＬＥＤ４１からの光は、前記リフレクタ２７の通孔４０ａを介して対応する第１装飾体２２および第４装飾体２５の裏面に向けて照射される。第１装飾体２２における球通路３０を画成する後壁３１、および第４装飾体２５におけるワープ通路２５ｂを画成する後壁は光を透過するから、該球通路３０およびワープ通路２５ｂを流下するパチンコ球は、後方から照射される光に照らされて、流下状態が明瞭に視認される。なお、ワープ通路２５ｂおよび球通路３０をパチンコ球が流下するときには、後方からの光がパチンコ球により遮られることで、別の演出効果が得られる。しかも、各通路２５ｂ,３０にはランダムにパチンコ球が流下するから、演出が単調となることはなく、興趣が向上する。また後壁３１を含む第１装飾体２２の裏面および第４装飾体２５の裏面には光拡散処理が施されているから、光拡散面に向けて照射された光は広範囲に拡散することで、高い光装飾効果が得られる。なお、前記第２装飾体２３および第３装飾体２４に対しては、第１装飾体２２を透過した光が照射されて、効果的な光装飾がなされる。
【００３５】
ここで、前記装飾体２２,２５の光拡散面に向けて前記ＬＥＤ４１から照射された光の一部は、前記リフレクタ２７に向けて反射され、該反射光が再びリフレクタ２７によって装飾体２２,２５の光拡散面に対して広範囲に照射される。すなわち、ＬＥＤ４１と装飾体２２,２５との離間距離を短かくしても、ＬＥＤ４１からの光が装飾体２２,２５の一点に集中して点光になるのを抑制することができ、高い光装飾効果が得られる。また、装飾体２２,２５に対して照明装置２８を近接配置することができるから、前記センター役物１４の奥行き寸法を短かくすることができ、遊技盤１０の後側に配設される他の部品等と干渉することもない。
【００３６】
更に、前記基板４２におけるＬＥＤ４１の実装部位を透明絶縁体シート２９で被覆してあるから、該チップ型のＬＥＤ４１を、メッキ処理されたリフレクタ２７に対して透明絶縁体シート２９を介して接触するように配置してもショートするおそれはない。従って、ＬＥＤ４１と装飾体２２,２５との離間距離をより短かくすることができ、センター役物１４の奥行き寸法を更に短かくすることができる。また図７に示すように、ＬＥＤ４１の前部をリフレクタ２７の通孔４０ａに収容してあるから、該ＬＥＤ４１からの光の一部はリフレクタ２７の反射面に直接照射され、該光が装飾体２２,２５の光拡散面に対して広範囲に照射される。すなわち、ＬＥＤ４１から照射される光は、装飾体２２,２５の光拡散面に直接照射されてからリフレクタ２７の反射面に向けて反射して、該反射面から再び装飾体２２,２５の光拡散面に向けて照射されるもの、あるいはリフレクタ２７の反射面に直接照射されてから装飾体２２,２５の光拡散面に照射されるもの等、各種の経路で装飾体２２,２５の光拡散面に対して広範囲に照射されるから、装飾体２２,２５の広い範囲を照明することができる。これにより、ＬＥＤ４１からの光が点光になるのを抑制したもとで、より高い光装飾効果が得られる。
【００３７】
(変更例)
なお、遊技機の構成としては、実施例のものに限られるものではなく、以下の如く種々の変更が可能である。
(1)球通路が形成される遊技部品は、実施例のセンター役物に限られるものでなく、遊技領域を流下する遊技球が通入可能な球入口が形成されたものであれば、各種の役物あるいは装飾部材等であってもよい。
(2)実施例では、枠状本体に配設される上部入賞装置に球入口を形成した場合で説明したが、図柄表示装置による図柄変動ゲームとは関係なく、常に遊技球の通入が許容される状態の球入口を遊技部品に直に形成してもよい。
(3)実施例では、基板におけるＬＥＤの実装面の略全面を透明絶縁体シートで被覆する構成で説明したが、基板に対してＬＥＤの端子が露出する実装部位のみを透明絶縁体シートで被覆する構成を採用し得る。
(4)リフレクタにおける反射面の形状としては実施例に限定されるものでなく、反射面で受けた光を広範囲に反射し得る形状であればよい。
(5)遊技機としては、パチンコ機に限らずアレンジボール機やパチンコ式スロットマシン等であってもよい。
【図面の簡単な説明】
【００３８】
【図１】実施例に係るセンター役物を分解して示す概略斜視図である。
【図２】実施例に係るパチンコ機の遊技盤を示す正面図である。
【図３】実施例に係るセンター役物を示す正面図である。
【図４】実施例に係るセンター役物を示す縦断側面図である。
【図５】実施例に係るセンター役物における上部入賞装置の配設部を縦断して示す要部側面図である。
【図６】実施例に係るリフレクタの正面図である。
【図７】実施例に係るセンター役物の要部縦断側面図であって、(ａ)は装飾体、リフレクタおよび照明装置の関係を示し、(ｂ)はリフレクタの通孔とＬＥＤとの関係を示す。
【符号の説明】
【００３９】
１０ 遊技盤，１２ 遊技領域，１３ 図柄表示装置(表示装置)
１４ センター役物(遊技部品)，１４ａ 窓口，１５ａ 通孔
２６ 上部入賞装置(入賞装置)，２７ リフレクタ，２９ 透明絶縁体シート
３０ 球通路，３０ａ 第１通路，３０ｂ 第２通路，３１ 後壁(光拡散部)
３２ 前壁(光透過部)，３３ａ 球入口，３４ 扉体，４０ａ 通孔，４１ ＬＥＤ
４２ 基板
【図１】
2008109956.tif 000003
【図２】
2008109956.tif 000004
【図３】
2008109956.tif 000005
【図４】
2008109956.tif 000006
【図５】
2008109956.tif 000007
【図６】
2008109956.tif 000008
【図７】
2008109956.tif 000009